(57)【要約】【課題】この発明は、収縮サポータに係り、特に、縦方向に引延ばした状態で関節部等身体の一部に装着して、サポータで覆われている身体の遠位の皮膚、筋膜を、収縮サポータの収縮性により、身体の近位方向へ、引き寄せ維持するように構成された収縮サポータに関する。【解決手段】身体の一部に管状に装着するサポータであって、サポータ１を形成する伸縮布２が、縦横方向に伸縮し、使用時に縦方向へ伸張させて身体６に装着し、装着後に伸縮布２の収縮性により、身体６の遠位におけるサポータ１端縁部下の皮膚、筋膜を、身体６の近位に引張り寄せて維持するように構成されている収縮サポータ１。【選択図】    図３
2004305540.tif 000002
【特許請求の範囲】
【請求項１】
身体の一部に管状に装着するサポータであって、サポータを形成する伸縮布が、縦横方向に伸縮し、使用時に縦方向へ伸張させて身体の一部に装着し、装着後に伸縮布の収縮性により、身体の遠位におけるサポータ端縁部下の皮膚、筋膜を、身体の近位に引張り寄せて、維持するように構成されている事を特徴とする収縮サポータ。
【請求項２】
前記伸縮布は、表裏二重構造とし、表裏布の中間に伸縮糸が介在し、管状に構成して伸縮糸の収縮時に、表裏布が蛇腹状に収縮する事を特徴とする請求項１に記載された収縮サポータ。
【請求項３】
前記伸縮布は展開して略方形に形成され、管状に丸めて両側端縁部を重ねた時、その上下合わせ面に、それぞれ係止部材が装着されて、両係止部材を係合して管状形を維持する事を特徴とする、請求項１，２のいずれかに記載された収縮サポータ。
【請求項４】
前記伸縮布は、管状とした内面の縦方向の両先端縁部において、滑止部材が装着されている事を特徴とする、請求項１〜３のいずれかに記載された収縮サポータ。
【請求項５】
前記伸縮布は、関節部に当たる部位に切欠部が形成されている事、を特徴とする請求項１〜４のいずれかに記載された収縮サポータ。
【発明の詳細な説明】
【０００１】
【発明の属する技術分野】
この発明は、収縮サポータに係り、特に、縦方向に引延ばした状態で関節部等身体の一部に装着して、サポータの縦方向先端縁部下で、身体の遠位の皮膚、筋膜を、収縮サポータの収縮性により、身体の近位方向へ引き寄せ、維持するように構成された収縮サポータに関する。
【０００２】
【従来の技術】
従来、身体の保護を目的としたサポータは、装着したときに外れないように、様々な方法で身体に固定されている。従って、サポータの強く当接する部位と、軽く当接する部位とがあり、強く当接される部位は、強く圧迫される。
【０００３】
筋膜は、皮膚の下で体を包む線維組織層である。筋肉及び筋肉群をも包み、その層または群を束ねる薄い被膜である。
身体の関節部分において、関節の軟骨の周囲には関節液が充満しており、例えば６０ｋｇ〜７０ｋｇの人で、歩行時に膝関節で軟骨にかかる関節液の靜水圧は、およそ３０〜５０気圧とされている。
【０００４】
【発明が解決しようとする課題】
前記従来のサポータを使用して、例えば膝関節部を被覆した場合、身体の中方向へ締付ける力がかけられている。その結果、皮膚と筋肉の間に流通していたリンパ液の流通が制約されることになる。
【０００５】
このリンパ液は、直接組織細胞を囲んで、細胞と血管との間の物質交代の仲立ちをしているものであるため、その部分における新陳代謝が停滞する。すなわち、栄養の補給が充分でなく、また老廃物の排泄も滞る等の障害が生じる。
【０００６】
身体の膝関節部分において、歩行時に軟骨にかかる関節液の靜水圧は、炎症時には腫れて高くなる。かかる炎症時に関節部に当てるサポータは、従来の物のように固定すると、リンパ液の流通が阻害されて回復が遅くなる。
【０００７】
また人は老齢化すると、関節の軟骨が摩耗し、再生力が衰えるために、円滑さが阻害され、又関節液の充満も衰え、膝の痛みが生じる。
この軟骨は、軟骨細胞に静水圧を加えると、コラーゲンと糖タンパクを産生し、細胞外マトリックスを作り始める。細胞が活性化すると、ＤＮＡ合成が盛んに起こるので再生が生じることが知られている。
【０００８】
また、老齢化すると、例えば脚の筋肉も筋力が弱まり、重力により垂れ下がりを見せる。これによって、筋肉が伸び、筋肉の収縮力が弱まり、結果として歩行困難になる。この垂れ下がる筋肉は、吊上げることによって細胞に刺激を受け、リンパ液流、血流も活発化して回復へと向かう。
【０００９】
この発明はこれらの実情に鑑み、例えば膝関節に当接させて固定しても、関節部位において、皮膚、筋膜に圧迫をかけにくく、身体の遠位に位置する皮膚、筋膜を近位に引き寄せ、維持することによって皮膚、筋膜、筋肉を活性化し、関節の軟骨細胞に対して静水圧を周囲から均分にかけて、活性化させることのできる収縮サポータを、提供することを目的としている。
【００１０】
【課題を解決するための手段】
この発明は、前記課題を解決し目的を達成するために、次のような技術的手段を講じた。発明の具体的な内容は次の通りである。
【００１１】
（１）  身体の一部に管状に装着するサポータであって、サポータを形成する伸縮布が、縦横方向に伸縮し、使用時に縦方向へ伸張させて身体に装着し、装着後に伸縮布の収縮性により、身体の遠位におけるサポータ端縁部下の皮膚、筋膜を、身体の近位方向へ引張り寄せて、維持するように構成されている収縮サポータ。
【００１２】
（２）  前記伸縮布は、表裏二重構造とし、表裏布の中間に伸糸が介在し、管状に構成して伸糸の収縮時に、表裏布が蛇腹状に収縮するように構成された前記（１）に記載された収縮サポータ。
【００１３】
（３）  前記伸縮布は展開して略方形に形成され、管状に丸めて両側端縁部を重ねた時、その上下合わせ面に、それぞれ係止部材が装着されて、両係止部材を係合して管状形を維持する、前記（１），（２）のいずれかに記載された収縮サポータ。
【００１４】
（４）  前記伸縮布は、管状とした内面の縦方向の両先端縁部において、滑止部材が装着されている、前記（１）〜（３）のいずれかに記載された収縮サポータ。
【００１５】
（５）  前記伸縮布は、関節部に当たる部位に切欠部が形成されている、前記（１）〜（４）のいずれかに記載された収縮サポータ。
【００１６】
【発明の実施の形態】
本願発明の実施の形態例を、図面を参照して説明する。図１は本発明の第１実施例収縮サポータの正面図、図２は収縮サポータの伸縮布の組織側面図、図３は伸縮糸の斜視図、図４は伸縮サポータの使用状態を示す側面図である。
【００１７】
収縮サポータ（１）は、伸縮布（２）で平面管状に形成され、縦横方向に伸縮するように構成されている。図１に示す状態で伸縮布（２）は縦方向へ収縮しており、一部断面を示すように、伸縮布（２）の表裏布（２ａ）（２ｂ）の間に介在されている伸縮糸（３）の収縮によって、表裏布（２ａ）（２ｂ）は蛇腹状に収縮している。この表裏布（２ａ）（２ｂ）は、糸遣い、糸の打込み本数、組織などを、目的に合わせて任意に選択することができる。
【００１８】
伸縮布（２）は、図２に例示するように、例えば表裏布（２ａ）（２ｂ）の組織間に、伸縮糸（３）が、伸ばした状態で経接結糸のように介在、組成されることによって、組成時には図１に例示するように、伸縮糸（３）の収縮により、表裏布（２ａ）（２ｂ）が蛇腹状に収縮される。該伸縮糸（３）はゴム糸でも、また図３に示すような伸縮糸（３）でも良い。伸縮布（２）は二重組織なので、表裏布（２ａ）（２ｂ）は伸縮時にそれぞれ異なった動きをする。
【００１９】
図３において伸縮糸（３）は、引延ばした状態のゴムのような伸糸（３ａ）と、捲縮糸のような搦糸（３ｂ）とを合撚したもので、伸糸（３ａ）が収縮すると、捲縮糸のような搦糸（３ｂ）は、伸糸（３ａ）に搦まったように捲縮する。その伸縮率は、３〜４倍のものである。これと普通糸とを使用して布（２）に組成したとき、布（２）の伸率は１．５〜２倍にすることができる。
【００２０】
図２において、緯糸（２ｃ）に伸縮糸を混在させることによって、伸縮サポータ（１）を、平面における管状の円周方向にも伸縮させることができる。この場合、円周方向への伸縮率は、縦方向より小さくて良い。
【００２１】
上記構成の伸縮サポータ（１）の使用状態は、図４に例示するように、伸縮サポータ（１）を縦に引き延ばした状態で、身体（６）の一部、例えば腕の関節部（６ａ）に、装着する。
すると伸縮サポータ（１）の収縮性によって、Ａ矢示方向へ収縮サポータ（１）が収縮するので、腕の下方（遠位）における皮膚、筋膜が、収縮サポータ（１）の収縮に引張られて、上方（近位に）寄せられる。
【００２２】
そして、身体の組織細胞は、横摺れや引張り等の加圧を受けると、その力に対して反発する。すなわち「ズリ応力」や「引張応力」が生じて、組織細胞は原状に回復させようとする。その結果、血流、リンパ液流が活性化される。
【００２３】
この収縮サポータ（１）の目的は、この「ズリ応力」や「引張応力」を関節部近傍に生じさせて、関節部（６ａ）近傍における組織細胞の退行を回復させようとするものである。
【００２４】
身体は、老化したり、運動をしないと、筋肉が伸びて力を失い、垂れてくる。この垂れ下がる筋肉を収縮サポータ（１）の収縮によって、皮膚、筋膜ともども身体の近位に吊り上げる事によって、皮膚、筋膜、筋肉にズレ応力、引張応力等の刺激を与え、リンパ液流、血流を活性化させて、皮膚、筋膜、筋肉組織細胞の活性化に寄与させるものである。
【００２５】
図５は、第２実施例を示す伸縮布（２）の一部斜視図である。前例と同じ部位には同じ符号を付して説明を省略する。この伸縮布（２）は、個別に形成された表布（２ｄ）と裏布（２ｅ）の間に、複数の伸縮糸（３）を並列して重合させ、伸縮糸（３）を引き延ばした状態で一体に縫合させたものである。
【００２６】
前記表布（２ｄ）裏布（２ｅ）は、薄い目の粗い布で、図５の状態で伸縮糸（３）は伸びているので、伸縮糸（３）を収縮させると、図１に示したような蛇腹状に形成される。この実施例は、図２に示した物のように、伸縮糸（３）が組織の中に入っていないので、伸縮糸（３）を任意に選択して、使用することができる。また表裏布（２ｄ）（２ｅ）の素材を任意に選択することができる。
【００２７】
図６は第２実施例を示す収縮サポータ（１）の展開斜視図である。収縮サポータ（１）の展開平面は、図示するように略方形の伸縮布（２）から構成されている。
該伸縮布（２）は目の粗い布からなり、経緯共に伸縮糸（３）が使用されている。伸縮糸（３）は図３に示すようなものを使用することができる。
【００２８】
伸縮布（２）は、織布、ニット（経編・横編）等組成は任意である。図６における符号（５）はゴムなどの材質からなる滑止部材である。該滑止部材（５）は前例の収縮サポータ（１）にも当然に利用することが出来る。
【００２９】
伸縮布（２）の縦中央部における両側端部に、切欠部（１ａ）が形成されている。また、１側端部に、例えばパイルフアスナーからなる係止部材（４）が装着され、図６における裏面にも、これに対応するパイルフアスナーからなる係止部材（４）が装着されている。
図６における伸縮布（２）を丸めると、図７に示すように管状にすることができ、表裏のパイルフアスナーからなる係止部材（４）により固定することができる。
【００３０】
上記のように構成された、この収縮サポータ（１）を使用するときは，図７において、収縮サポータ（１）を展開した状態で、切欠部（１ａ）を関節部（６ａ）に合わせて、まず上部を身体（６）に巻付けて係止部材（４）で固定する。
しかる後、収縮サポータ（１）の下端部を下方へ引き延ばして、身体（６）に巻いて、係止部材（４）で固定する。
【００３１】
その後、上部の係止部材（４）を開放し、収縮サポータ（１）の上端部を上方に引延ばして身体（６）に巻いて、係止部材（４）で固定する。
これによって、収縮サポータ（１）に被覆されている部分の遠位の皮膚、筋膜は、収縮サポータ（１）の収縮力によって、近位方向へと引張られる。
【００３２】
これによって、図７における収縮サポータ（１）の切欠部（１ａ）の近傍では、伸縮布（２）の伸びは減少し、皮膚に対する圧迫が開放される。また図７におけるＡーＡ線断面図を図８に示すように、伸縮布（２）は緯にも伸縮糸（３）が入っているために、図８において伸縮布（２）はＢ矢示方向へ収縮する。そのことは、関節部（６ａ）の皮膚は図８において下方（Ｂ矢示）へ引張られる事になる。
【００３３】
収縮サポータ（１）は、切欠部（１ａ）が形成されているために、図７に示すように、
切欠部（１ａ）から関節部（６ａ）が表出しており、関節部（６ａ）の屈曲時において、収縮サポータ（１）の関節部（６ａ）における無理が生じず、曲げ易い。図１における収縮サポータ（１）にも、関節部位において切欠部（１ａ）を形成することができる。
【００３４】
図７において、関節部（６ａ）は露出しているが、図８に示すように伸縮布（２）が収縮することによって、関節部（６ａ）の皮膚、筋膜を引張っているもので、この引張りによる関節部（６ａ）への周囲からの均等加圧は、軟骨に対する静水圧の圧力がかかり、靜水圧の加圧を受けた軟骨組織細胞は、活性化され回復に寄与する。
【００３５】
図７において、引張サポータ（１）の円周方向での締付けは、身体（６）への圧迫となるので、伸縮布（２）の緯の伸縮糸は伸び性の高いものが好ましい。そして収縮サポータ（１）の形状が、初めから規格的な定形管状のものでは、脚や腕の太さの大小に適応することができないので、係止部材（４）によって、締付けが適度に調整される。
【００３６】
図７において、収縮サポータ（１）の装着によって、身体（６）、例えば脹ら脛部分の遠位の皮膚、筋膜が、身体の近位方向へ引張られる事になり、仮に脹ら脛部分の筋肉が垂れ下がっていた場合、その筋肉も上に引かれる事になり、リンパ液の流通が活性化され、血流も好転することから、筋肉の活性化が期待される。
【００３７】
なおこの収縮サポータ（１）は、直接身体に装着しても良いが、偏平袋に滑動体が詰装された摺動シート（特願２００３−１０４８９７号参照）を身体に当接させて、その上からこの収縮サポータ（１）を装着することができる。
それによって、収縮サポータ（１）の締付けによる外圧が、前記摺動シートによって分散緩和され、好ましい効果を得ることができる。
【００３８】
【発明の効果】
以上説明したように、この発明は、次のような優れた効果を有している。
【００３９】
（１）  請求項１に記載された発明の収縮サポータは、使用時に縦方向へ伸張させて身体に装着し、装着後に伸縮布の収縮性により、身体の遠位におけるサポータ端縁部下の皮膚、筋膜を、身体の近位に引張り寄せて維持するように構成されているので、皮膚、筋膜、にズレ応力、引張応力を生じさせ、リンパ液流、血流を活性化させ、筋肉の活性化に寄与することができる効果がある。
【００４０】
（２）  請求項２に記載された発明の収縮サポータは、伸縮布が二重構造とし、表裏布の中間に伸縮糸が介在し、管状に構成して伸縮糸の収縮時に、表裏布が蛇腹状に収縮するので、引伸ばして身体に装着したとき、収縮布の収縮により、身体の遠位の皮膚、筋膜を、身体の近位に引き寄せることが出来、皮膚、筋膜、にズレ応力、引張応力を生じさせ、リンパ液流、血流を活性化させ、筋肉の活性化に寄与することができる効果がある。
【００４１】
（３）  請求項３に記載された発明の収縮サポータは、伸縮布は展開して略方形に形成され、管状に丸めて両側端縁部を重ねたとき、その上下合わせ面に、それぞれ係止部材が装着されて、両係止部材を係合して管状形を維持する事ができるので、腕、脚などの異なった太さに合わせて管状に装着することが出来、収縮サポータを引伸ばして身体に装着したとき、収縮布の収縮により、身体の遠位の皮膚、筋膜を、身体の近位に引寄せることが出来、皮膚、筋膜、にズレ応力、引張応力を生じさせ、リンパ液流、血流を活性化させ、筋肉の活性化に寄与することができる効果がある。
【００４２】
（４）  請求項４に記載された発明の収縮サポータは、管状とした伸縮布の内面の縦方向の両先端縁部において、滑止部材が装着されているので、収縮サポータを伸ばして身体に装着した時、伸縮布が伸縮するときに、サポータが滑らず、身体の遠位の皮膚、筋膜を、身体の近位に容易に引き寄せることが出来、皮膚、筋膜、にズレ応力、引張応力を生じさせ、リンパ液流、血流を活性化させ、筋肉の活性化に寄与することができる効果がある。
【００４３】
（５）  請求項５に記載された発明の収縮サポータは、伸縮布の関節部に当たる部位に切欠部が形成されているので、収縮サポータを関節部近位に装着したとき、関節を曲げやすい効果がある。同時に関節部に負担をかけずに周囲の皮膚、筋膜に引張応力、ズリ応力をかけることができる効果がある。
【図面の簡単な説明】
【図１】本発明、第１実施例を示す収縮サポータの正面図である。
【図２】図１における伸縮布の組織側面図である。
【図３】本発明、収縮サポータの伸縮糸の斜視図である。
【図４】本発明収縮サポータの使用状態を示す斜視図である。
【図５】本発明第２実施例伸縮布の斜視図である。
【図６】本発明第２実施例を示す伸縮サポータの展開斜視図である。
【図７】本発明第２実施例収縮サポータの使用状態を示す斜視図である。
【図８】図７におけるＡーＡ断面図である。
【符号の説明】
（１）収縮サポータ
（１ａ）切欠部
（２）伸縮布
（２ａ）（２ｄ）表布
（２ｂ）（２ｅ）裏布
（２ｃ）緯糸
（３）伸縮糸
（３ａ）伸糸
（３ｂ）搦糸
（４）係止部材
（５）滑止部材
（６）身体
（６ａ）関節部
【図１】
2004305540.tif 000003
【図２】
2004305540.tif 000004
【図３】
2004305540.tif 000005
【図４】
2004305540.tif 000006
【図５】
2004305540.tif 000007
【図６】
2004305540.tif 000008
【図７】
2004305540.tif 000009
【図８】
2004305540.tif 000010